(57)【要約】【課題】成形する際における作業性を向上しながらも簡易な構成で個々の使用者の足底形状に応じた履物用中敷を成形し得る履物用中敷の成形方法を提供する。【解決手段】履物用中敷１の成形方法は、使用者の足２の少なくとも踵部分３から土踏まず部分５までに略相当するような大きさとされ軟化状態のシート状の硬化性基材１１，１２を少なくとも含む中敷基材１０を、宙吊り状に展張させた伸張性薄膜状体２２の表面に載せ、該薄膜状体を伸張させながら使用者の足底に相対的に押し付けることで足形に沿わせるように前記硬化性基材を変形させた後、硬化させる。【選択図】図１
2014108567.tif 000002
【特許請求の範囲】
【請求項１】
使用者の足の少なくとも踵部分から土踏まず部分までに略相当するような大きさとされ軟化状態のシート状の硬化性基材を少なくとも含む中敷基材を、宙吊り状に展張させた伸張性薄膜状体の表面に載せ、該薄膜状体を伸張させながら使用者の足底に相対的に押し付けることで足形に沿わせるように前記硬化性基材を変形させた後、硬化させることを特徴とする履物用中敷の成形方法。
【請求項２】
請求項１において、
前記薄膜状体の表面に載せた前記中敷基材の表側に展張させた伸張性薄膜状体を更に覆い被せ、これら薄膜状体を伸張させながら前記硬化性基材を変形させることを特徴とする履物用中敷の成形方法。
【請求項３】
請求項１または２において、
前記薄膜状体は、透明であることを特徴とする履物用中敷の成形方法。
【請求項４】
請求項１乃至３のいずれか１項において、
前記硬化性基材は、熱可塑性を有しており、
該硬化性基材を、前記薄膜状体の表面に載せる前に加熱して前記軟化状態とし、前記硬化させる際には冷却することを特徴とする履物用中敷の成形方法。
【請求項５】
請求項１乃至４のいずれか１項において、
使用者を椅子に座らせた状態で、前記硬化性基材を変形させることを特徴とする履物用中敷の成形方法。
【請求項６】
請求項１乃至５のいずれか１項において、
前記中敷基材は、前記硬化性基材の表面及び裏面の両方または一方にシート状のクッション材を積層した積層基材であることを特徴とする履物用中敷の成形方法。
【発明の詳細な説明】
【技術分野】
【０００１】
本発明は、靴等の履物に敷かれる中敷の成形方法に関する。
【背景技術】
【０００２】
従来より、靴等の履物には、中敷（インソール）が敷かれている。このような中敷は、一般的には、標準的な足形に合わせて形成された既製品であり、使用者各人の足にフィットしない場合が多々あった。
例えば、下記特許文献１では、人の足の裏側の平面形状に切断した形状記憶ポリウレタン発泡体シートの表裏面に保護シートを張り付けた中敷きをスキー靴などの内部にセットし、加熱して軟化させた状態で、使用者の足を挿入し、中敷きを変形させ、硬化させて中敷きを製造する方法が提案されている。
また、下記特許文献２では、熱柔化性物質からなる中底素地を加熱し、柔化させ、使用者の足底にあてがい、手で足底表面に沿うようなでつけて足の踵及び土踏まずの輪郭に適合した形状に型決めし、硬化させて中底を成形する方法が提案されている。
また、下記特許文献３では、熱可塑性を有する平板状のインソールを加熱して軟らかくし、インソール成型用の踏台に載せ、上方からユーザの足を載せ加圧することでインソールを成型する方法が開示されている。また、踏台を、複数のスポンジ層からなるものとし、上面側に標準的な足型に基く凹状の擬似足型を設けた構成としている。
【先行技術文献】
【特許文献】
【０００３】
【特許文献１】特開平５−１９９９０６号公報
【特許文献２】特開２０００−６０６０３号公報
【特許文献３】特開２００３−３０４９０９号公報
【発明の概要】
【発明が解決しようとする課題】
【０００４】
しかしながら、上記特許文献１に記載された方法では、スキー靴などの内部にセットした状態で使用者の足を挿入し、中敷きを変形させるようにしているので、使用者の足底形状、特に土踏まず等の足底の凹形状に中敷きが沿い難くなることが考えられる。
上記特許文献２に記載された方法では、使用者の足底にあてがい、手でなでつけて中底素地を変形させるようにしているので、成形作業が面倒であり、また、足底周囲、特に踵周囲等の凸形状に沿わせる際に皺が形成され易くなることが考えられる。
上記特許文献３に記載された方法では、成型用の踏台を、その上面側に標準的な足型に基く凹状の擬似足型を設けた構成としている。そのため、使用者の左右の足のそれぞれに応じた踏台を準備する必要があり、また、使用者の足のサイズに合わせて複数の踏台を準備する必要が生じる。また、足底形状は個々の使用者によって多彩であり、例えば、比較的に足底の土踏まず等の凹凸形状が少ない（アーチが低い）使用者の足底形状に応じたインソールを形成し難くなるということも考えられる。
また、上記特許文献１，３に記載された方法では、スキー靴などの内部や踏台にセットした中敷き（インソール）に使用者の足を載せ、体重を掛けて中敷きを変形させることとなるため、足に体重が掛けられた状態となり、自然な状態の足底に応じた形状になり難くなるということも考えられえる。
【０００５】
本発明は、上記実情に鑑みなされたものであり、成形する際における作業性を向上しながらも簡易な構成で個々の使用者の足底形状に応じた履物用中敷を成形し得る履物用中敷の成形方法を提供することを目的としている。
【課題を解決するための手段】
【０００６】
前記目的を達成するために、本発明に係る履物用中敷の成形方法は、使用者の足の少なくとも踵部分から土踏まず部分までに略相当するような大きさとされ軟化状態のシート状の硬化性基材を少なくとも含む中敷基材を、宙吊り状に展張させた伸張性薄膜状体の表面に載せ、該薄膜状体を伸張させながら使用者の足底に相対的に押し付けることで足形に沿わせるように前記硬化性基材を変形させた後、硬化させることを特徴とする。
【０００７】
本発明においては、前記薄膜状体の表面に載せた前記中敷基材の表側に展張させた伸張性薄膜状体を更に覆い被せ、これら薄膜状体を伸張させながら前記硬化性基材を変形させるようにしてもよい。
また、本発明においては、前記薄膜状体を、透明としてもよい。
また、本発明においては、前記硬化性基材を、熱可塑性を有したものとし、該硬化性基材を、前記薄膜状体の表面に載せる前に加熱して前記軟化状態とし、前記硬化させる際には冷却するようにしてもよい。
また、本発明においては、使用者を椅子に座らせた状態で、前記硬化性基材を変形させるようにしてもよい。
また、本発明においては、前記中敷基材を、前記硬化性基材の表面及び裏面の両方または一方にシート状のクッション材を積層した積層基材としてもよい。
【発明の効果】
【０００８】
本発明に係る履物用中敷の成形方法によれば、成形する際における作業性を向上しながらも簡易な構成で個々の使用者の足底形状に応じた履物用中敷を成形することができる。
【図面の簡単な説明】
【０００９】
【図１】本発明の一実施形態に係る履物用中敷の成形方法の手順の一例を模式的に示す概略フローチャートである。
【図２】（ａ）、（ｂ）は、同履物用中敷の成形方法に用いられる中敷基材の一例を模式的に示す概略斜視図、（ｃ）は、同中敷基材の概略分解斜視図である。
【図３】（ａ）、（ｂ）は、同履物用中敷の成形方法の手順の一例を模式的に示す概略斜視図である。
【図４】（ａ）、（ｂ）は、同履物用中敷の成形方法の手順の一例を模式的に示す概略側面図である。
【図５】（ａ）、（ｂ）は、同履物用中敷の成形方法の手順の一例を模式的に示す概略側面図である。
【図６】（ａ）〜（ｃ）は、同履物用中敷の成形方法を用いて成形された履物用中敷の中間成形体の一例を模式的に示し、（ａ）、（ｂ）は、概略斜視図、（ｃ）は、概略側面図である。
【図７】（ａ）〜（ｃ）は、同履物用中敷の成形方法を用いて成形された履物用中敷の一例を模式的に示し、（ａ）、（ｂ）は、概略斜視図、（ｃ）は、概略側面図である。
【図８】（ａ）〜（ｃ）は、同履物用中敷の成形方法を用いて成形された履物用中敷の他例を模式的に示す概略斜視図である。
【発明を実施するための形態】
【００１０】
以下に、本発明の実施の形態について、図面を参照しながら説明する。
図１〜図６は、本実施形態に係る履物用中敷の成形方法の一例を模式的に示す図であり、図７及び図８は、同成形方法を用いて成形された履物用中敷の一例を模式的に示す図である。
本実施形態に係る履物用中敷の成形方法を用いて成形された履物用中敷（インソール）１は、図７に示すように、比較的に薄い異形シート状体とされている。この中敷１は、使用者の足２（図２（ａ）及び図４（ｂ）参照）の少なくとも踵部分３から土踏まず部分５までに略相当するように形成されている。また、この中敷１は、少なくとも踵部分３から土踏まず部分５までに略相当する部位の足底周囲を覆うように形成されている。本実施形態では、使用者の足２の踵部分３から爪先部分４までの足底の全体形状に相当する中敷１を例示している。
【００１１】
この中敷１は、図示は省略しているが、種々の履物に敷かれて使用される。この中敷１が敷かれる履物としては、革靴（ビジネスシューズ）や運動靴、長靴（ブーツ）、スキー靴、スケート靴等の種々の靴としてもよい。また、比較的に踵が高いハイヒール等の靴としてもよく、その他、種々の履物としてもよい。
また、この中敷１は、履物に既存の中敷が敷かれている場合には、その既存中敷を取り外し、履物に敷くようにしてもよい。または、この中敷１を、既存の中敷上に敷くようにしてもよい。さらには、この中敷１を、既存または既製の中敷の下に敷くようにしてもよい。
【００１２】
本実施形態に係る中敷１の成形方法は、図１〜図６に示すように、使用者の足２の少なくとも踵部分３から土踏まず部分５までに略相当するような大きさとされ軟化状態のシート状の硬化性基材１１，１２を少なくとも含む中敷基材１０を、宙吊り状に展張させた伸張性薄膜状体２２の表面に載せ、この薄膜状体２２を伸張させながら使用者の足底に相対的に押し付けることで足形に沿わせるように硬化性基材１１，１２を変形させた後、硬化させるようにしている。このような構成とすることで、成形する際における作業性を向上しながらも簡易な構成で個々の使用者の足底形状に応じた中敷１を成形することができる。
【００１３】
つまり、宙吊り状に展張させた薄膜状体２２の表面に載せられた中敷基材１０（硬化性基材１１，１２）が薄膜状体２２の伸張を伴い薄膜状体２２によって使用者の足形に沿うように変形する。これにより、例えば、手でなでつけるのみで中敷基材１０（硬化性基材１１，１２）を変形させるような方法とした場合と比べて、成形する際における作業性を向上させることができ、また、中敷基材１０（硬化性基材１１，１２）に皺等が形成され難く、履き心地の良い中敷１を成形することができる。また、使用者の左右の足のそれぞれに応じた踏台や、使用者の足のサイズに合わせて複数の踏台を用いる必要がなく、簡易な構成で個々の使用者の足底形状に応じた中敷１を成形することができる。また、中敷基材１０（硬化性基材１１，１２）を使用者の足形に沿わせて変形させる際に、使用者の体重が足に掛かり難くなり、自然な状態の好ましい足底形状に応じた中敷１を成形することができる。
【００１４】
また、中敷基材１０を宙吊り状の薄膜状体２２に載せるようにしているので、薄膜状体２２を伸張させて中敷基材１０（硬化性基材１１，１２）をある程度変形させた後に薄膜状体２２を手でなでつけ、中敷基材１０（硬化性基材１１，１２）を更に好ましい形状に変形させるようなことも可能となる。例えば、足底の内側縦アーチ（いわゆる土踏まず）や外側縦アーチ、横アーチ等のアーチ形状をより際立たせるように変形させるようなことも可能となる。また、使用者の足の傾き（外反足、内反足）等に応じて好ましい形状となるように変形させるようなことも可能となる。つまりは、個々の使用者に応じた好ましい形状の中敷１を成形するようなことも可能となる。また、中敷基材１０の構成等によっては中敷基材１０の樹脂等が成形作業者の手指に付着するようなことも考えられるが、このようなことを防止することもできる。
【００１５】
また、本実施形態では、図３〜図５に示すように、使用者を椅子６に座らせた状態で、中敷基材１０（硬化性基材１１，１２）を変形させるようにしている。このような構成とすれば、例えば、立位状態で踏み付けて中敷基材１０（硬化性基材１１，１２）を変形させるような方法とした場合と比べて、使用者の体重が略足に掛からず、より自然な状態の足底形状に応じた中敷１を成形することができる。つまり、荷重による足底形状の歪みを軽減することができ、より好ましい足底形状に応じた中敷１を成形することができる。
【００１６】
また、本実施形態では、中敷基材１０が載せられる薄膜状体２２を透明としている（図３及び図５参照）。このような構成とすれば、薄膜状体２２を上記のように手でなでつけ、中敷基材１０（硬化性基材１１，１２）を更に変形させる際に中敷基材１０を足裏側から視認でき、より容易にかつ正確な成形作業を行うことができる。
【００１７】
また、本実施形態では、薄膜状体２２の表面に載せた中敷基材１０の表側に展張させた伸張性薄膜状体２４を更に覆い被せ、これら薄膜状体２２，２４を伸張させながら硬化性基材１１，１２を変形させるようにしている。このような構成とすれば、これら表裏両側の薄膜状体２２，２４によって中敷基材１０を挟むように保持した状態で中敷基材１０（硬化性基材１１，１２）を変形させることができ、中敷基材１０（硬化性基材１１，１２）に皺等が形成されることをより抑制することができる。また、表側の薄膜状体２４を設けない場合には、中敷基材１０の構成等によっては中敷基材１０の樹脂等が足底（素足または靴下）に付着するようなことも考えられるが、このようなことを防止することもできる。
【００１８】
また、本実施形態では、この表側の薄膜状体２４を透明としている。このような構成とすれば、裏側の薄膜状体２２に載せられた中敷基材１０を視認でき、中敷基材１０に対する足底の位置合わせを確実に行い易くすることができる。また、例えば、中敷基材１０の表面に足底の位置合わせマーク等を施した場合にも、位置合わせマークを視認でき、中敷基材１０に対する足底の位置合わせを容易に行うことができる。
【００１９】
これら表裏の薄膜状体２２，２４としては、中敷基材１０を変形させる際に破断し難く適度に伸張する強度や伸度を有した透明な樹脂系フィルム等としてもよい。例えば、薄膜状体２２，２４を、ポリエチレン系樹脂やポリ塩化ビニル系樹脂、ポリプロピレン系樹脂、ポリカーボネート系樹脂、ポリエステル系樹脂等から形成されたフィルムとしてもよい。
本実施形態では、ポリエチレン系樹脂からなる梱包用のいわゆるストレッチフィルムを薄膜状体２２，２４として採用している。このような梱包用のストレッチフィルムを薄膜状体２２，２４とすることで、中敷基材１０が薄膜状体２２，２４に密着し、また、薄膜状体２２，２４同士が互いに密着し、中敷基材１０の位置ずれを抑制することができる。
【００２０】
これら薄膜状体２２，２４の厚さ寸法は、薄膜状体２２，２４の構成（材質や層構成）等に応じて適宜の寸法としてもよく、例えば、本実施形態のようにストレッチフィルムを薄膜状体２２，２４とした場合には、１０μｍ〜２０μｍ程度としてもよい。
また、本実施形態では、図３に示すように、これら表裏の薄膜状体２２，２４を枠状部材２１，２３に展張させて保持させている。
これら枠状部材２１，２３は、概ね同様の構成とされている。また、これら枠状部材２１，２３には、中敷基材１０よりも大きい開口が形成されており、該開口を塞ぐように各薄膜状体２２，２４が展張状態で保持されている。
また、これら枠状部材２１，２３は、互いに対向する面（図示下側の枠状部材２１の上面、図示上側の枠状部材２３の下面）に沿わせるようにそれぞれの薄膜状体２２，２４が保持されており、これら枠状部材２１，２３を積層した状態では、それぞれの薄膜状体２２，２４が互いに略密着する構成とされている。
【００２１】
これら枠状部材２１，２３としては木製や合成樹脂製、金属製のものとしてもよく、板紙や段ボール等の紙製のものとしてもよい。また、薄膜状体２２，２４を展張させた状態で枠状部材２１，２３に保持させる態様としては、適宜、接着剤や粘着テープ等によって薄膜状体２２，２４を枠状部材２１，２３に固定するようにしてもよい。また、本実施形態のようにストレッチフィルムを薄膜状体２２，２４とした場合には、枠状部材２１，２３の薄膜状体２２，２４が当接する部位に沿って滑り止め部材を添設し、保持させる態様としてもよい。また、図例では、これら枠状部材２１，２３同士を固定する固定部材を設けた例を示している。このような固定部材としては、アジャスターファスナー等のファスナー金具（固定止金具）によってこれら枠状部材２１，２３同士を接離自在に固定するようにしてもよい。または、固定部材としては、面ファスナー等としてもよく、さらにはこのような固定部材を設けないようにしてもよい。
【００２２】
また、本実施形態では、薄膜状体２２，２４を基台２５に宙吊り状に保持させている。この基台２５と表裏の薄膜状体２２，２４をそれぞれに保持させた枠状部材２１，２３とによって中敷成形装置２０を構成している。
基台２５は、当該基台２５が設置される床と薄膜状体２２，２４との間にスペースが形成されるように薄膜状体２２，２４を床から浮いた状態で保持する構成とされている。また、この基台２５は、図５（ａ）に示すように、薄膜状体２２，２４を伸張させた状態で、その下方側に成形作業者の手指等の挿入が可能な構成とされている。
【００２３】
本実施形態では、この基台２５に、表裏の薄膜状体２２，２４をそれぞれに保持させた枠状部材２１，２３を保持させることで、薄膜状体２２，２４を宙吊り状に保持させている。また、展張状態の薄膜状体２２，２４を床に対して略水平となるように基台２５に保持させている。
また、本実施形態では、基台２５に、宙吊り状に保持された薄膜状体２２，２４の下方側において上下方向に移動可能とされた平板状の押し当て部材２７を設けている。図例では、基台２５の四隅に脚状に設けられた支柱に対して上下動自在とされた枠状保持部材２６を設け、この枠状保持部材２６に押し当て部材２７を保持させた態様としている。
【００２４】
また、本実施形態では、中敷基材１０の硬化性基材１１，１２を、熱可塑性を有したものとしている。このような構成とすれば、中敷基材１０を加熱することで硬化性基材１１，１２を軟化状態とでき、冷却することで硬化させることができる。また、硬化させた後、例えば、局所的に再加熱することで軟化させることができ、成形後に微調整を行うことも容易に可能となる。
【００２５】
また、本実施形態では、図２に示すように、中敷基材１０を、硬化性基材１１，１２の表面に、シート状のクッション材１３を積層した積層基材としている。このような構成とすれば、硬化性基材１１，１２のみからなる中敷基材１０を変形させ、硬化させた後にクッション材１３を積層するような方法とした場合と比べて、中敷１の成形時間の短縮化を図ることができる。
【００２６】
また、本実施形態では、中敷基材１０を、硬化性基材としての表面側の第１硬化性基材１１と裏面側の第２硬化性基材１２とを積層した積層基材としている。つまり、本実施形態では、中敷基材１０を、クッション材１３、第１硬化性基材１１及び第２硬化性基材１２を表面側から裏面側に向けてこの順に積層した三層状の構造としている。
これら硬化性基材１１，１２は、硬化させた後に適度の保形性及びある程度の可撓性を有したものとしてもよい。
また、本実施形態では、これら硬化性基材１１，１２を、メッシュ状（多孔状）としている。このような構成とすれば、水分を透過させることができ、足蒸れを抑制することができる。
【００２７】
これら硬化性基材１１，１２としては、メッシュ状に編まれた基布に、熱可塑性樹脂を塗布したり、含浸させたりして形成されたものとしてもよい。基布としては、例えば、ポリエステル系樹脂やポリプロピレン系樹脂等の合成樹脂系繊維や、綿等の天然繊維からなるものとしてもよい。基布としては、その他、植物繊維や動物繊維、鉱物繊維、ガラス繊維、炭素繊維等からなるものとしてもよい。
また、これら硬化性基材１１，１２に含まれる熱可塑性樹脂としては、４０℃〜８０℃程度、好ましくは５０℃〜７５℃程度に加熱することで軟化する合成樹脂を採用するようにしてもよい。例えば、ポリエステル系樹脂や、ポリエチレン系樹脂、ポリ塩化ビニル系樹脂、ポリプロピレン系樹脂等としてもよく、その他、熱可塑性エラストマーとしてもよい。
【００２８】
また、図例では、第１硬化性基材１１よりも第２硬化性基材１２を目の粗いメッシュ状としている。また、第１硬化性基材１１よりも第２硬化性基材１２の厚さを大きくしている。
また、本実施形態では、第１硬化性基材１１よりも第２硬化性基材１２を小さくしている。本実施形態では、図２及び図５に示すように、第１硬化性基材１１を、使用者の足２の踵部分３から爪先部分４までの足底の全体形状に相当する大きさとしている。また、第２硬化性基材１２を、使用者の足２の踵部分３から内外の縦アーチ及び横アーチの少なくとも最大高部分までに略相当する大きさとしている。また、第２硬化性基材１２を、横アーチのサポートが可能なように、平面視して爪先側に凸湾曲形状としている。つまり、第２硬化性基材１２を、使用者の足２の母指球部分及び小指球部分を含む爪先側の部分を概ね除いた部位に相当する大きさとしている。このような構成とすることで、第２硬化性基材１２を踵部分３、内外の縦アーチ及び横アーチ部分をより強力にサポートする補強用として機能させることができる。
【００２９】
また、本実施形態では、第１硬化性基材１１の踵部分３の底部に相当する部位に、厚さ方向に貫通する踵開口１１ａを設けている。このような構成とすることで、上記のような第２硬化性基材１２を積層した場合にも、足底の接地部となる母指球部、小指球部及び踵底部の３点の高低差を緩和させることができる。なお、このような踵開口１１ａは、中敷１が敷かれる靴のヒール高等によっては設けないようにしてもよい。また、第２硬化性基材１２にも踵開口を設けるようにしてもよい。
なお、これら第１硬化性基材１１と第２硬化性基材１２とは、適宜の形状に切断等により加工し、積層して加熱することで互いの熱可塑性樹脂を溶融させ、接合するようにしてもよい。
【００３０】
また、これら硬化性基材１１，１２の大きさや厚さ、硬化後の硬さ、積層枚数等は、使用者の足２の形状や、上記したような履物の種類、既存中敷が取外し可能か否か、履物の用途（運動靴であれば、スポーツの種類、例えば、ウォーキング用やランニング用、サイクリング用、サッカー用、バスケット用等）等に応じて適宜、設定するようにしてもよい。これら硬化性基材１１，１２の厚さとしては、例えば、それぞれ０．５ｍｍ〜２ｍｍ程度としてもよい。また、このように硬化性基材を二層構造とせずに、いずれか一方のみからなるものとしてもよい。また、上記したようなメッシュ状の硬化性基材１１，１２に限られず、パンチング等が施された通気性を有した硬化性基材１１，１２としてもよく、または、通気性のない平板状の硬化性基材１１，１２としてもよい。
【００３１】
また、本実施形態では、クッション材１３を、使用者の足２の踵部分３から爪先部分４までの足底の全体形状に相当する大きさとしている。図例では、成形前のクッション材１３を、第１硬化性基材１１よりも爪先側を延出させるように大きくしている。このような構成とすることで、後記するように中敷基材１０を薄膜状体２２上に載置して薄膜状体２２を伸張させながら中敷基材１０（硬化性基材１１，１２）を変形させる際に、素足で行う場合における薄膜状体２２（２４）への使用者の足２の爪の接触を抑制することができ、薄膜状体２２（２４）の破断を抑制することができる。
【００３２】
このクッション材１３としては、ウレタンやエチレン・酢酸ビニル共重合樹脂（ＥＶＡ）等の発泡系材料からなるものとしてもよい。
なお、このクッション材１３の大きさや厚さ等は、上記した硬化性基材１１，１２と同様、適宜、設定するようにしてもよい。このクッション材１３の厚さとしては、例えば、１ｍｍ〜３ｍｍ程度としてもよい。また、このクッション材１３は、適宜の接着剤等によって第１硬化性基材１１に貼着するようにしてもよい。
【００３３】
また、本実施形態では、中敷基材１０を成形した後に、表面仕上材として表面材１４を更に貼着して積層している（図７（ａ）参照）。この表面材１４は、使用者の足２の踵部分３から爪先部分４までの足底の全体形状に相当する大きさとされている。
この表面材１４としては、各種繊維を編みこんだ編布や不織布等としてもよく、さらには天然皮革や合成皮革等としてもよい。
なお、この表面材１４は、適宜の接着剤等によってクッション材１３に貼着するようにしてもよい。
【００３４】
次に、本実施形態に係る履物用中敷の成形方法の手順の一例について説明する。
図１に示すように、まず、使用者の左右の足２を測定する（ステップ１００）。この足測定工程では、足長（サイズ）や足幅、足囲（ワイズ）、アーチ形状、足底圧、傾斜（外反、内反）等を測定、確認するようにしてもよい。また、この際、フットプリンターや、粘土状の踏台、レーザー、鏡、ガラス板等を用いて測定、確認するようにしてもよい。
【００３５】
次いで、使用者の足２や履物の種類、用途等に応じた中敷基材１０を準備する（ステップ１０１）。この中敷基材準備工程では、図２に示すように、上記した硬化性基材１１，１２及びクッション材１３を積層し、使用者の足２の大きさに合わせて切断等し、加工するようにしてもよい。また、この中敷基材１０（硬化性基材１１，１２）の成形前の大きさは、踵部分３の周囲や内外の縦アーチのサポートが可能なように、大きく形成するようにしてもよい。例えば、踵部分３の周囲や内外の縦アーチをサポートする部位が、踵部分３の底部（接地部）から１０ｍｍ〜３０ｍｍ程度、上方に突出するような大きさとしてもよい。
【００３６】
なお、この中敷基材準備工程は、足のサイズや用途等に応じて複数種を予め準備し、上記した足測定工程に先立って行うようにしてもよい。
また、中敷基材１０の表面に、使用者の足２の位置合わせ用のマーキング（位置合わせマーク）を施しておくようにしてもよい。例えば、踵中央部や、親指付根部、小指付根部等に相当する部位にマーキングを施しておくようにしてもよい。
また、中敷基材１０にクッション材１３を設けないようにしてもよい。つまりは、硬化性基材１１，１２のみからなる中敷基材１０としてもよい。この場合には、成形後にクッション材１３を積層するようにしてもよい。
【００３７】
次いで、中敷基材１０を加熱し、軟化させる（ステップ１０２）。この中敷基材加熱工程では、中敷基材１０を、硬化性基材１１，１２の熱可塑性樹脂が軟化する所定温度となるように加熱する。この中敷基材加熱工程は、所定温度の湯に浸けることで加熱したり、電子レンジやオーブン、プレス等の加熱機器を用いて加熱したりするようにしてもよい。また、スチームアイロン等を用いて蒸気によって加熱したり、ヒートガン（ドライヤー）等を用いて温風によって加熱したりするようにしてもよい。
そして、図３及び図４（ａ）に示すように、この軟化状態の中敷基材１０を、基台２５に保持された裏側の薄膜状体２２の表面に載せ（ステップ１０３）、この中敷基材１０の表側に表側の薄膜状体２４を配置する（ステップ１０４）。
【００３８】
次いで、図４（ｂ）及び図５（ａ）に示すように、椅子６に座らせた状態の使用者の足２を、中敷基材１０に位置合わせし、表側の薄膜状体２４を介して中敷基材１０に押し付け、薄膜状体２２，２４を伸張させながら中敷基材１０（硬化性基材１１，１２）を変形させる（ステップ１０５）。この中敷基材変形工程を行う際には、成形作業者が補助し、使用者の足２が中立状態となるように膝等を保持しながら行うようにしてもよい。また、成形作業者が補助して使用者の足２を中敷基材１０に対して押し付けるようにしてもよい。また、この際、成形作業者が必要に応じて裏側の薄膜状体２２をその下方側から手でなでつけることで、中敷基材１０（硬化性基材１１，１２）を更に変形させるようにしてもよい。また、この際、中敷基材１０の構成にもよるが本実施形態のように第１硬化性基材１１が爪先側にもあるような場合には、爪先側が必要以上に変形（上反り）しないように変形途中で裏側の薄膜状体２２の爪先側部位に相当する部位を破断等するようにしてもよい。または、枠状部材２１に保持させた裏側の薄膜状体２２を、爪先側がないものとしてもよい。
【００３９】
また、この際、図５（ｂ）に示すように、必要に応じて、押し当て部材２７を、上方に移動させ、裏側の薄膜状体２２を介して中敷基材１０の裏面側に押し当て中敷基材１０の上記接地部に相当する部位を平坦化するようにしてもよい。このような構成とすることで、成形後の中敷１を履物内に安定して収納させることができる。なお、この際、履物のヒールの高さ等に応じたスペーサを踵部分３に相当する部位の押し当て部材２７の上面に介在させるようにしてもよい。または、履物のヒールの高さ等に応じた凸部を有した押し当て部材２７を採用するようにしてもよい。なお、履物の既存中敷の構成等によっては、このような接地部平坦工程を行わないようにしてもよい。
【００４０】
次いで、中敷基材１０を冷却し、硬化させる（ステップ１０６）。この中敷基材硬化工程では、使用者の足２を中敷基材１０に対して相対的に押し付けた状態で中敷基材１０を冷却するようにしてもよい。この場合は、保冷剤を袋詰めした保冷袋を、裏側の薄膜状体２２を介して中敷基材１０の下方側から押し当てて冷却したり、中敷基材１０を冷風によって冷却したりするようにしてもよく、さらには自然冷却させるようにしてもよい。また、上記のような態様に代えて、または加えて、使用者の足２を上方に移動させ、上側の枠状部材２３を取り外し、中敷基材１０を裏側の薄膜状体２２から取り外し、中敷基材１０を冷却するようにしてもよい。この場合は、上記同様、保冷袋や冷風、自然冷却等によって中敷基材１０を冷却するようにしてもよく、冷蔵庫や保冷庫、保冷バッグ等に収容して冷却するようにしてもよい。
【００４１】
上記のように冷却し、硬化させれば、図６に示すように、使用者の足底形状に変形された中間成形体１５が成形される。
そして、この中間成形体１５（中敷基材１０）の形を調整する（ステップ１０７）。この形調整工程では、上記のように大きく形成された中敷基材１０を切断等により加工することで、使用者の履物内に収容可能なように形を調整するようにしてもよい。この際、既存の中敷が取り外し可能な場合には、既存の中敷の大きさに合わせて切断等により、形を調整するようにしてもよい。また、使用者の足形状や特徴、履物の種類や用途等に応じて、成形後の中敷１の踵部周囲や内外の縦アーチの立ち上がり高さが適宜の高さとなるように適宜、切断等により調整するようにしてもよい。また、この際、例えば、ヒートガン等によって局所的に再加熱し、局所的に軟化させ、更に変形させて微調整を行うようにしてもよい。
【００４２】
また、中間成形体１５（中敷基材１０）の表面に、表面材１４を貼着する（ステップ１０８）。この表面材１４の貼着は、上記した形調整工程後に行うようにしてもよく、または、形調整工程前に行うようにしてもよい。さらには、この表面材１４を、上記した中敷基材変形工程前に、中敷基材１０の一部として積層しておくようにしてもよい。なお、このような表面材１４を積層しないようにしてもよい。
上記のような種々の工程を経て、図７に示すように、中敷１が成形される。なお、中敷１を使用者の履物内に収容し、履物を履かせた際に不具合等がある場合には、上記同様、ヒートガン等によって局所的に再加熱し、局所的に軟化させ、更に変形させて微調整を行うようにしてもよい。
このように成形された中敷１は、使用者の履物内に収容させた状態では、履物に一体化し、移動せず、使用者の足を安定的にサポートする中敷１となる。
【００４３】
なお、上記した手順は一例であり、その他、種々の手順の採用が可能である。
また、図例では、左足用の中間成形体１５及び中敷１を例示しているが、右足用も同様にして成形される。
また、中敷基材（中敷）の積層態様や大きさは、上記した例に限られず、図８に示すように、種々の積層態様、大きさとしてもよい。
図８（ａ）では、第２硬化性基材１２を積層していない中敷１Ａを例示している。
図８（ｂ）では、中敷１Ｂを第１硬化性基材１１Ａのみからなるものとし、その大きさを、上記した例の第２硬化性基材１２と同様の大きさとしている。つまり、爪先側のない中敷１Ｂを例示している。
これら図８（ａ）、（ｂ）に示す中敷１Ａ，１Ｂでは、踵開口１１ａの下方側に第２硬化性基材１２がないため、例えば、中敷１Ａ，１Ｂを履物に敷き、その履物を履いた状態で着地等する際には使用者の足２の踵部分３で荷重を受けることができる。
【００４４】
図８（ｃ）では、中敷１Ｃを第１硬化性基材１１Ｂのみからなるものとし、その大きさを、上記した例の第２硬化性基材１２と同様の大きさとしている。また、踵開口１１ａを設けていない例を示している。
これら各変形例に係る中敷１Ａ，１Ｂ，１Ｃも、上記と略同様にして本実施形態に係る履物用中敷の成形方法によって成形可能である。
なお、中敷基材（中敷）の積層態様や大きさは、上記した各例に限られず、上記したように、使用者の足２の形状や、履物の種類、既存中敷が取外し可能か否か、履物の用途等に応じて、その他、種々の積層態様、大きさとしてもよい。
【００４５】
なお、本実施形態では、定置状態の枠状部材２１に保持された薄膜状体２２に載置された中敷基材１０に対して使用者の足底を押し付け、薄膜状体２２（２４）を伸張させながら中敷基材１０（硬化性基材１１，１２）を変形させる態様とした例を示しているが、このような態様に限られない。例えば、定置状態の足底に対して薄膜状体２２（２４）を保持する枠状部材２１（２３）を移動させることで薄膜状体２２（２４）を伸張させながら中敷基材１０（硬化性基材１１，１２）を変形させるような態様としてもよい。さらには、薄膜状体２２（２４）を保持する枠状部材２１（２３）及び足底を相互に移動させることで薄膜状体２２（２４）を伸張させながら中敷基材１０（硬化性基材１１，１２）を変形させるような態様としてもよい。これらの場合は、薄膜状体２２（２４）を保持する枠状部材２１（２３）を基台２５に対して上下動自在に保持させる態様としてもよい。また、この場合は、薄膜状体２２（２４）を保持する枠状部材２１（２３）を基台２５に対して電動等によって上下動させる態様等としてもよい。
【００４６】
また、本実施形態では、展張状態の薄膜状体２２，２４を床に対して略水平となるように基台２５に保持させた態様とした例を示しているが、このような態様に限られず、展張状態の薄膜状体２２，２４を床に対して斜めや略垂直となるように基台２５に保持させた態様としてもよい。
また、薄膜状体２２，２４を保持する基台２５を設けずに、例えば、成形作業者等が薄膜状体２２（２４）を保持する枠状部材２１（２３）を保持したり、移動させたりする態様等としてもよい。
また、本実施形態では、使用者を椅子６に座らせた状態で、中敷基材１０（硬化性基材１１，１２）を変形させる態様とした例を示しているが、このような態様に限られない。例えば、他の座位状態や、立位状態、臥位状態で、中敷基材１０（硬化性基材１１，１２）を変形させる態様としてもよい。
【００４７】
また、本実施形態では、表裏の薄膜状体２２，２４を透明としたがこれらの両方または一方を不透明なものとしてもよい。例えば、ゴム等のエラストマー系材料からなる伸張性を有した薄シート状体としてもよく、または伸張性を有したメッシュ状体としてもよい。
また、本実施形態では、中敷基材１０の表側に薄膜状体２４を覆い被せて成形する態様とした例を示しているが、このような表側の薄膜状体２４を設けずに成形する態様としてもよい。
【００４８】
また、本実施形態では、硬化性基材１１，１２を、熱可塑性を有したものとした例を示しているが、このような態様に限られない。例えば、ポリウレタン系樹脂やシリコーン系樹脂等の湿気硬化性（水硬性）樹脂を含む硬化性基材１１，１２としてもよい。この場合は、上記したステップ１０２に代えて、中敷基材１０の変形前または変形後に、中敷基材１０を水等に浸けたり、中敷基材１０に水等を噴霧して湿らせるようにしてもよい。さらには、紫外線等の光硬化性を有した硬化性基材１１，１２を採用するようにしてもよい。要するに、軟化状態で使用者の足形に沿わせるように変形可能で、硬化後は通常の使用状態では適度な保形性を有し、軟化し難い硬化性基材１１，１２を採用するようにすればよい。
【符号の説明】
【００４９】
１，１Ａ，１Ｂ，１Ｃ  中敷（履物用中敷）
１０                  中敷基材（積層基材）
１１，１１Ａ，１１Ｂ  第１硬化性基材
１２                  第２硬化性基材
１３                  クッション材
２２                  裏側の薄膜状体
２４                  表側の薄膜状体
２                    足
３                    踵部分
５                    土踏まず部分
６                    椅子
【図１】
2014108567.tif 000003
【図２】
2014108567.tif 000004
【図３】
2014108567.tif 000005
【図４】
2014108567.tif 000006
【図５】
2014108567.tif 000007
【図６】
2014108567.tif 000008
【図７】
2014108567.tif 000009
【図８】
2014108567.tif 000010